【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
電子メールの内容を読み上げる電子メール読み上げ装置において、
電子メールのヘッダ情報から送信者メールアドレスを抽出する送信者メールアドレス抽出手段と、
前記送信者メールアドレスに対応する送信者に関する所定事項が登録された送信者データベースを検索し、該当する送信者に関する所定事項を取り出す検索手段と、
該取り出された送信者に関する所定事項に基づいて送信者情報テキストを合成音声に変換する音声合成手段と、
該変換された合成音声を出力する音声出力手段とを備えたことを特徴とする電子メール読み上げ装置。
【請求項２】
前記送信者に関する所定事項は、前記送信者の氏名および該送信者が所属する組織名であることを特徴とする請求項１記載の電子メール読み上げ装置。
【請求項３】
前記検索手段が該当する送信者に関する所定事項を取り出せなかった場合、前記送信者メールアドレスの一部に基づき、前記送信者データベースを検索して該当する前記送信者に関する所定事項の一部を取り出し、該取り出された所定事項の一部に基づき前記送信者に関する所定事項を推定する未知送信者データ推定手段を備え、
前記音声合成手段は、該推定された送信者に関する所定事項に基づいて送信者情報テキストを作成し、該作成された送信者情報テキストを合成音声に変換することを特徴とする請求項１記載の電子メール読み上げ装置。
【請求項４】
前記未知送信者データ推定手段は、前記送信者メールアドレスの名前に相当する部分の母音文字と子音文字とを組み合わせて前記氏名を推定することを特徴とする請求項３記載の電子メール読み上げ装置。
【請求項５】
電子メールの内容を読み上げる電子メール読み上げ方法において、
電子メールのヘッダ情報から送信者メールアドレスを抽出する抽出工程と、
該抽出された送信者メールアドレスに基づき、送信者に関する所定事項が登録された送信者データベースから該当する送信者に関する所定事項を取り出す検索工程と、
該取り出された送信者に関する所定事項に基づき送信者情報テキストを合成音声に変換する音声合成工程と、
該変換された合成音声を出力する音声出力工程とを備えたことを特徴とする電子メール読み上げ方法。
【請求項６】
前記送信者に関する所定事項は、前記送信者の氏名および該送信者が所属する組織名であることを特徴とする請求項５記載の電子メール読み上げ方法。
【請求項７】
前記検索工程が該当する送信者に関する所定事項を取り出せなかった場合、前記送信者メールアドレスの一部に基づき、前記送信者データベースを検索して該当する前記送信者に関する所定事項の一部を取り出し、該取り出された所定事項の一部に基づき前記送信者に関する所定事項を推定する未知送信者データ推定工程を備え、
前記音声合成工程は、該推定された送信者に関する所定事項に基づいて送信者情報テキストを作成し、該作成された送信者情報テキストを合成音声に変換することを特徴とする請求項５記載の電子メール読み上げ方法。
【請求項８】
前記未知送信者データ推定工程は、前記送信者メールアドレスの名前に相当する部分の母音文字と子音文字とを組み合わせて前記氏名を推定することを特徴とする請求項７記載の電子メール読み上げ方法。
【手続補正２】
【補正対象書類名】明細書
【補正対象項目名】０００７
【補正方法】変更
【補正の内容】
【０００７】
【課題を解決するための手段】
上記目的を達成するために、本発明の請求項１に係る電子メール読み上げ装置は、電子メールの内容を読み上げる電子メール読み上げ装置において、電子メールのヘッダ情報から送信者メールアドレスを抽出する送信者メールアドレス抽出手段と、前記送信者メールアドレスに対応する送信者に関する所定事項が登録された送信者データベースを検索し、該当する送信者に関する所定事項を取り出す検索手段と、該取り出された送信者に関する所定事項に基づいて送信者情報テキストを合成音声に変換する音声合成手段と、該変換された合成音声を出力する音声出力手段とを備えたことを特徴とする。


【手続補正３】
【補正対象書類名】明細書
【補正対象項目名】００１１
【補正方法】変更
【補正の内容】
【００１１】
請求項５に係る電子メール読み上げ方法は、電子メールの内容を読み上げる電子メール読み上げ方法において、電子メールのヘッダ情報から送信者メールアドレスを抽出する抽出工程と、該抽出された送信者メールアドレスに基づき、送信者に関する所定事項が登録された送信者データベースから該当する送信者に関する所定事項を取り出す検索工程と、該取り出された送信者に関する所定事項に基づき送信者情報テキストを合成音声に変換する音声合成工程と、該変換された合成音声を出力する音声出力工程とを備えたことを特徴とする。


【手続補正４】
【補正対象書類名】明細書
【補正対象項目名】００２６
【補正方法】変更
【補正の内容】
【００２６】
さらに、本発明は複数の機器から構成されるシステムに適用してもよいし、１つの機器からなる装置に適用してもよい。また、本発明はシステムあるいは装置にプログラムを供給することによって達成される場合にも適用できることはいうまでもない。この場合、本発明を達成するためのソフトウェアによって表されるプログラムを格納した記憶媒体をシステムあるいは装置に読み出すことによってそのシステムあるいは装置が本発明の効果を享受することが可能となる。
本実施形態に記載の電子メール読み上げ装置によれば、自分宛の電子メールの内容を確認する際、自分宛に届いた電子メールのヘッダ情報から送信者メールアドレスを抽出し、該抽出された送信者メールアドレスに基づき、送信者に関する所定事項が登録された送信者データベースを検索し、該取り出された送信者に関する所定事項に基づいて送信者情報テキストを合成音声に変換し、合成音声を出力するので、電子メールの内容を聞くユーザに、その電子メールの送信者がどこの誰なのかを分かりやすく伝えることができる。したがって、ユーザは、送信者がどこの誰であるのかを的確に把握することで、その後に読み上げられる電子メールの本文の内容をより的確に理解することができるようになる。
また、本実施形態に記載の電子メール読み上げ装置によれば、送信者に関する所定事項は、送信者の氏名および該送信者が所属する組織名であるので、送信者の氏名および組織名を分かりやすく伝えることができる。
また、本実施形態に記載の電子メール読み上げ装置によれば、該当する送信者に関する所定事項を取り出せなかった場合、送信者メールアドレスの一部に基づき、送信者に関する所定事項の一部を取り出し、該取り出された所定事項の一部に基づき送信者に関する所定事項を推定し、該推定された送信者に関する所定事項に基づいて送信者情報テキストを作成し、該作成された送信者情報テキストを合成音声に変換するので、送信者データベースに登録されていない送信者メールアドレスであっても、送信者が誰であるのかを分かりやすく伝えることができる。
また、本実施形態に記載の電子メール読み上げ装置によれば、送信者メールアドレスの名前に相当する部分の母音文字と子音文字とを組み合わせて氏名を推定するので、送信者データベースに該当する氏名が登録されていなくても、送信者が誰であるのかを分かりやすく伝えることができる。
【手続補正５】
【補正対象書類名】明細書
【補正対象項目名】００２７
【補正方法】変更
【補正の内容】
【００２７】
【発明の効果】
以上説明したように、本発明によれば、電子メールの内容を聞くユーザに、その電子メールの送信者がどこの誰なのかを分かりやすく伝えることができる。したがって、ユーザは、送信者がどこの誰であるのかを的確に把握することで、その後に読み上げられる電子メールの本文の内容をより的確に理解することができるようになる。


【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】